(57)【要約】【課題】変動図柄の変動中に、機械的な抽選機構による予備的な抽選を行い、遊技者が確定図柄の種類を判別することが可能な遊技機を提供する。【解決手段】図柄表示装置３５に、変動図柄をそれぞれ表示する第１、第２、及び第３図柄表示部８１ａ，２ａ，８３ａと、第１乃至第９棒状部材９１〜９９のそれぞれを上下方向に駆動自在にする第１乃至第９アクチュエータＭ１〜Ｍ９を有する予備抽選機構７５とを備えて構成する。図柄表示装置３５にあって、第１、第２、及び第３図柄表示板８１，８２，８３の変動図柄の変動中に、予備抽選機構７５で第１乃至第９棒状部材９１〜９９のランダム駆動・停止を行うことで予備的かつ物理的な抽選を行い、その予備抽選機構７５の抽選結果と同じ確定図柄を第１、第２、及び第３図柄表示部８１ａ，２ａ，８３ａに表示する。【選択図】図７
2007268010.tif 000002
【特許請求の範囲】
【請求項１】
遊技領域を形成する遊技盤と、該遊技盤上に配設された始動口と、該始動口に遊技球が入球したことに応じて当たり抽選を行う抽選手段と、該抽選手段の抽選結果に基づき変動する複数の変動図柄を表示する図柄表示装置と、を備え、前記変動図柄の変動をそれぞれ停止した確定図柄を表示することで前記抽選手段の抽選結果を表示する遊技機において、
前記確定図柄の種類に対応した複数の可動物と、
前記図柄表示装置における前記変動図柄の変動中に前記複数の可動物を変動駆動した後、前記抽選手段の抽選結果に基づき、前記確定図柄の種類に対応した可動物を判別し得る状態に前記複数の可動物を停止する可動物駆動停止手段と、を有する予備抽選機構を備えた、
ことを特徴とする遊技機。
【請求項２】
前記図柄表示装置の前方側に遊技球が転動し得るステージを備え、
前記複数の可動物は、前記ステージに形成された孔より突出・退避し得る棒状部材からなり、
前記可動物駆動停止手段は、前記図柄表示装置における前記変動図柄の変動中に前記複数の棒状部材を前記ステージの孔より突出・退避する変動駆動を行った後、前記抽選手段の抽選結果に基づき、前記確定図柄の種類に対応した棒状部材だけを突出した状態で停止する、
ことを特徴とする請求項１記載の遊技機。
【請求項３】
前記予備抽選機構は、前記複数の変動図柄の変動・停止を行う毎に、前記複数の可動物の変動駆動及び停止を行う、
ことを特徴とする請求項１または２記載の遊技機。
【発明の詳細な説明】
【技術分野】
【０００１】
本発明は、パチンコ機等の遊技機に係り、詳しくは、始動口に対する入球に応じて当たり抽選を行った際に、変動図柄の変動させる表示を行うと共に、該変動図柄の変動を停止した確定図柄を表示することで該当たり抽選の結果を表示する遊技機に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技盤下部のアウト口に流入するように構成されたものが知られている（特許文献１参照）。
【０００３】
このようなパチンコ機では、一般入賞口に入球した際にそれに対応した個数の遊技球が払い出され、また始動チャッカーに入球した際にはこれに基づいて大当たり抽選が行われると共に所定数の遊技球が払い出され、当該抽選の結果に応じて、遊技盤の中央部分に設けられた液晶等の画像表示装置の画面上で複数の変動図柄（多くは３つの変動図柄）の変動・停止に関する演出表示が行われる。大当たりの発生時には、アタッカーと呼ばれる大入賞口が開放し、入球に対応して多量の遊技球が払い出される状態となる。
【０００４】
【特許文献１】特開平７−２８４５５９号公報
【発明の開示】
【発明が解決しようとする課題】
【０００５】
ところで、上述の液晶等の画像表示装置に複数の変動図柄を表示するものは、当該画像表示装置において変動図柄を変動させた後、順次変動図柄を停止して確定図柄を表示し、それによって大当たり抽選の結果を遊技者に対して表示するものである。しかしながら、この変動図柄の変動・停止（確定図柄の表示）は、画像表示装置の画面内だけで行われるものであるため、抽選が電子的に行われているように見え、遊技者にとって現実味に欠けるものであり、場合によっては大当たり抽選がホールコンピュータに操作されているような錯覚を与える虞もあって、遊技機としての趣向に欠く虞があった。
【０００６】
そこで本発明は、図柄表示装置における変動図柄の変動中に、機械的な抽選機構によって予備的な抽選を行って遊技者に確定図柄の種類を判別させた後、図柄表示装置において確定図柄を表示することを可能にし、もって上述した課題を解決した遊技機を提供することを目的とするものである。
【課題を解決するための手段】
【０００７】
請求項１に係る本発明は（例えば図１乃至図７参照）、遊技領域（３ａ）を形成する遊技盤（３）と、該遊技盤（３）上に配設された始動口（２７）と、該始動口（２７）に遊技球が入球したことに応じて当たり抽選を行う抽選手段（５７）と、該抽選手段（５７）の抽選結果に基づき変動する複数の変動図柄を表示する図柄表示装置（３５）と、を備え、前記変動図柄の変動をそれぞれ停止した確定図柄を表示することで前記抽選手段（５７）の抽選結果を表示する遊技機（１）において、
前記確定図柄の種類（例えば９種類）に対応した複数の可動物（例えば９１，９２，９３，９４，９５，９６，９７，９８，９９）と、
前記図柄表示装置（３５）における前記変動図柄の変動中に前記複数の可動物（例えば９１，９２，９３，９４，９５，９６，９７，９８，９９）を変動駆動した後、前記抽選手段（５７）の抽選結果に基づき、前記確定図柄の種類に対応した可動物（例えば９１，９２，９３，９４，９５，９６，９７，９８，９９）を判別し得る状態に前記複数の可動物（例えば９１，９２，９３，９４，９５，９６，９７，９８，９９）を停止する可動物駆動停止手段（６７）と、を有する予備抽選機構（７５）を備えた、
ことを特徴とする遊技機（１）にある。
【０００８】
請求項２に係る本発明は（例えば図３、及び図５乃至、図７参照）、前記図柄表示装置（３５）の前方側に遊技球が転動し得るステージ（Ｓ）を備え、
前記複数の可動物（例えば９１，９２，９３，９４，９５，９６，９７，９８，９９）は、前記ステージ（Ｓ）に形成された孔（１０１，１０２，１０３，１０４，１０５，１０６，１０７，１０８，１０９）より突出・退避し得る棒状部材（９１，９２，９３，９４，９５，９６，９７，９８，９９）からなり、
前記可動物駆動停止手段（６６）は、前記図柄表示装置（３５）における前記変動図柄の変動中に前記複数の棒状部材（９１，９２，９３，９４，９５，９６，９７，９８，９９）を前記ステージ（Ｓ）の孔（１０１，１０２，１０３，１０４，１０５，１０６，１０７，１０８，１０９）より突出・退避する変動駆動を行った後、前記抽選手段（５７）の抽選結果に基づき、前記確定図柄の種類に対応した棒状部材（９１，９２，９３，９４，９５，９６，９７，９８，９９）だけを突出した状態で停止する、
ことを特徴とする請求項１記載の遊技機（１）にある。
【０００９】
請求項３に係る本発明は（例えば図５及び図６参照）、前記予備抽選機構（７５）は、前記複数の変動図柄の変動・停止を行う毎に、前記複数の可動物（例えば９１，９２，９３，９４，９５，９６，９７，９８，９９）の変動駆動及び停止を行う、
ことを特徴とする請求項１または２記載の遊技機（１）にある。
【００１０】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１１】
請求項１に係る本発明によると、図柄表示装置における変動図柄の変動中に、確定図柄の種類に対応した複数の可動物を変動駆動した後、確定図柄の種類に対応した可動物を判別し得る状態にそれら可動物を停止する予備抽選機構を備えたので、機械的な抽選動作を行った後、確定図柄を表示することができ、当たり抽選が遊技者にとって現実味のあるものとすることができ、遊技機としての趣向を増すことができる。
【００１２】
請求項２に係る本発明によると、複数の可動物をステージに形成された孔より突出・退避し得る棒状部材で構成し、図柄表示装置における変動図柄の変動中に複数の棒状部材をステージの孔より突出・退避する変動駆動を行った後、確定図柄の種類に対応した棒状部材だけを突出した状態で停止するので、遊技者が、機械的な抽選を行っていることを視認することができ、かつ何れの確定図柄の種類に対応したものが抽選されたかを容易に判別することができる。また、その抽選動作中には、棒状部材がステージに形成された孔より突出・退避するので、遊技球の転動軌道に変化を与えることができ、遊技機としての趣向を増すことができる。
【００１３】
請求項３に係る本発明によると、予備抽選機構は、複数の変動図柄の変動・停止を行う毎に、複数の可動物の変動駆動及び停止を行うので、例えば複数の変動図柄にそれぞれ対応して複数の予備抽選機構を設けることを不要とすることができ、つまり１つの予備抽選機構だけで複数の変動図柄に対する機械的な抽選動作を行うことができる。これにより、遊技領域が狭まることを防止することができ、遊技球の転動領域が減少してしまうことを防ぐことができて、遊技機としての趣向を増すことができる。
【発明を実施するための最良の形態】
【００１４】
以下、本発明に係る遊技機の実施の形態として、遊技場等に設置されるパチンコ機を図に沿って説明する。なお、本実施の形態では、本発明の遊技機を所謂第１種特別電動役物を使用したパチンコ機として述べるが、本発明はこれに限らず、所謂第２種特別電動役物や所謂第３種特別電動役物等を使用したパチンコ機にも適用可能であることは勿論である。また、図１は本発明の実施の形態におけるパチンコ機の外部構造を示す正面図、図２は本パチンコ機から遊技盤を単体で分離した状態で示す正面図である。
【００１５】
本パチンコ機（遊技機）１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入賞した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００１６】
本パチンコ機１は図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれに配設されている。そして、前扉７の上部における両放音装置１２，１２の間には、演出用照明装置８が配設されている。なお、皿ユニット１６は、賞球及び貸球を含む遊技球が払い出される球受け皿を構成している。また、筐体６及び前扉７等により遊技機本体が構成されている。
【００１７】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技領域３ａ側に案内するガイドレールを示している。本パチンコ機１には、遊技中に遊技領域３ａにて入賞することなく落下して、遊技領域３ａ下部のアウト口７６に進入した遊技球をパチンコ機背面側に導くアウト球通路（図示せず）が設けられている。
【００１８】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００１９】
また、前扉７における皿ユニット１６の右側下方の前壁部４８には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２０】
また、遊技領域３ａの中央部分には、遊技球ステージＳを有するセンター飾り２３が配設されている。センター飾り２３の下部左右には、大当たり抽選に寄与しない一般の入賞が行われる一般入賞口２５，２６が配設されており、センター飾り２３の下方には、大当たり抽選実行の契機となり得る入賞が行われる始動チャッカー（始動口）２７と、大当たり発生時に開放して遊技領域３ａに打ち出される遊技球を入賞させるアタッカー５と、が順次配設されている。
【００２１】
始動チャッカー２７は、開放位置と閉止位置とに開閉動作するように始動チャッカー開閉ソレノイド７１（図３参照）によって作動させられる。始動チャッカー２７の直上方には、所謂命釘としての一対の障害釘３０が打ち込まれている。
【００２２】
アタッカー５は、大当たり発生中、例えば、１回の開放で１０個の入賞（入球）を完了した時点で閉じ、当該開閉動作を１５回繰り返すように構成される。なお、これらの入球数並びに開閉動作の回数は、１０個や１５回に限定されることはなく、必要に応じて適宜設定され得るものである。
【００２３】
遊技領域３ａには、センター飾り２３の四方に風車３１がそれぞれ配設されており、遊技球ステージＳの下方における始動チャッカー２７の左右には、始動チャッカー２７を開閉動作させる抽選の契機となる遊技球通過が行われる役物であるスルーゲート３２がそれぞれ配設されている。
【００２４】
遊技領域３ａにおけるスルーゲート３２、一般入賞口２５，２６及び始動チャッカー２７等の周囲には、遊技球ステージＳから零れた遊技球や、発射されてから遊技球ステージＳに関与せずに落下してくる遊技球を適宜散らし、或いは入球（入賞）に導くようにするための障害釘３３を含む多数の障害釘が打ち込まれている。
【００２５】
センター飾り２３は、上部左右にワープ導入口３８，３８をそれぞれ有し、中央部に、遊技盤３側に固定された図柄表示装置３５を露出する開口３６に前枠５０を有し、かつ該前枠５０の左右にワープ導入口３７をそれぞれ有しており、更に、前枠５０の中央上部に鈴状役物７７を、遊技球ステージＳの中央部に放出口４９をそれぞれ有している。ワープ導入口３７やワープ導入口３８から入球（入賞）した遊技球は遊技球ステージＳ上に導入されるが、それらの一部は放出口４９に案内されて始動チャッカー２７に向け自重落下させられる。
【００２６】
また、ワープ導入口３７，３７にそれぞれ対向するように、一対ずつの障害釘３９が打ち込まれている。このような本パチンコ機１では、遊技領域３ａに打ち出された遊技球を始動チャッカー２７等に、遊技球ステージＳを介して入球させ又は遊技球ステージＳを介さず直接入球させ得るように遊技が進められる。
【００２７】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００２８】
次に、本実施の形態におけるパチンコ機１の制御系を図３に沿って説明する。なお、同図は本パチンコ機の制御系を示すブロック図である。
【００２９】
本制御系は、遊技制御装置５４と、該遊技制御装置５４に電気的に接続された、始動チャッカー開閉ソレノイド７０、アタッカー開閉ソレノイド７１、放音装置１２、演出用照明装置８，１１、及び図柄表示装置３５を備えている。該図柄表示装置３５は、第１図柄表示板８１、第２図柄表示板８２、第３図柄表示板８３、及び第１乃至第９アクチュエータＭ１，Ｍ２，Ｍ３，Ｍ４，Ｍ５，Ｍ６，Ｍ７，Ｍ８，Ｍ９（以下、このような連続した符号を場合により省略して「Ｍ１〜Ｍ９」と示す）等を有する予備抽選機構７５で構成されている。
【００３０】
遊技制御装置５４は、不図示の主制御基盤やサブ制御基盤等から構成されている。主制御基盤は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、サブ制御基盤は、主に画像表示、効果音等の演出、効果光等の表示制御を行うように構成されている。
【００３１】
遊技制御装置５４は、入賞判定手段５５、入賞信号出力手段５６、抽選手段５７、遊技制御手段５９、保留手段６０、作動制御手段６１、作動判定手段６２、作動決定手段６３、演出制御手段６４、表示制御手段６５、及び可動物駆動停止手段６６を備えている。
【００３２】
入賞判定手段５５は、発射ハンドル２の操作で作動する発射装置（図示せず）によって遊技領域３ａに打ち出された遊技球が始動チャッカー２７、一般入賞口２５，２６、アタッカー５、スルーゲート３２、ワープ導入口３７，３８の何れかに入賞（入球）したとき、当該入賞があった旨を判定する。
【００３３】
入賞信号出力手段５６は、入賞判定手段５５によって入賞（入球）が判定されたとき、対応する始動チャッカー２７、一般入賞口２５，２６、アタッカー５、スルーゲート３２、ワープ導入口３７，３８に入賞した旨の入賞信号を出力する。
【００３４】
抽選手段５７は、入賞信号出力手段５６からの始動チャッカー２７に対応する入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちのいずれか一方に当選するように、不図示の抽選用メモリから当たり当選乱数値を取得して、大当たり抽選を実行する。
【００３５】
また、抽選手段５７は、大当たり抽選で確変当たりに当選した場合、不図示の演出用メモリに格納された演出乱数値に基づく抽選で、変動の結果、確変当たりに対応する「１１１」、「３３３」や「７７７」等の図柄が、詳しくは後述する図柄表示装置３５（図５参照）の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００３６】
さらに、抽選手段５７はまた、大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、その旨の変動パターン信号を出力する。抽選手段５７は更に、大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、その旨の変動パターン信号を出力する。
【００３７】
遊技制御手段５９は、放音装置１２、及び演出用照明装置８，１１に放音、発光の演出をさせる契機となる指令や、予備抽選機構７５の第１乃至第９アクチュエータＭ１，Ｍ２，Ｍ３，Ｍ４，Ｍ５，Ｍ６，Ｍ７，Ｍ８，Ｍ９を詳しくは後述するように表示制御手段６５の制御と連係した所定のタイミングで駆動／停止させるために予め設定された演出データを演出制御手段６４に送る。また、遊技制御手段５９は、抽選手段５７での抽選結果に応じて、第１図柄表示板８１、第２図柄表示板８２、及び第３図柄表示板８３に表示すべき変動図柄に関する信号を、表示制御手段６５に送る。
【００３８】
保留手段６０は、抽選手段５７から出力された変動パターン信号を入力し、変動パターンを、始動チャッカー２７への入賞の都度に行われた抽選の結果となる保留球として順次記憶する。当該記憶状況は、大当たり抽選保留表示装置（図示せず）に、最大４個の保留球として点灯表示される。保留手段６０は、例えば保留球数Ｈが０＜Ｈ＜５であるか否かを常時判定し、保留球数Ｈが４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００３９】
また、保留手段６０は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段６０は、保留球の消費に応じて保留球数ＨがＨ＜４となった場合、抽選手段５７で行われる始動チャッカー２７への入賞に応答した大当たり抽選の結果を保留球として記憶し、保留球数を１インクリメントする。
【００４０】
作動制御手段６１は、後述する作動決定手段６３の作動開始決定の旨の信号に基づき、始動チャッカー開閉ソレノイド７０に駆動信号を送って該ソレノイド７０を作動させ、始動チャッカー２７を開放又は閉塞動作させる。更に作動制御手段６１は、アタッカー開閉ソレノイド７１に駆動信号を送って該ソレノイド７１を作動させ、抽選手段５７での抽選による大当たり発生時にアタッカー５を開放して所定数入賞が終了する（又は所定時間が経過する）毎に閉塞する動作を所定回数（所定ラウンド）だけ繰り返すように制御する。
【００４１】
作動判定手段６２は、始動チャッカー開閉ソレノイド７０及びアタッカー開閉ソレノイド７１を作動させるための条件を満たすか否かを判定する。つまり、始動チャッカー開閉ソレノイド７０にあって、始動チャッカー２７の開閉の「条件を満たす」時とは、抽選手段５７の大当たり抽選とは別途行われる抽選で当選した場合である。アタッカー開閉ソレノイド７１にあって、アタッカー５の開放の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー５の閉塞の「条件を満たす」時とは、大当たり発生時における全ての入賞を完了した場合である。
【００４２】
作動決定手段６３は、作動判定手段６２からの判定信号を受けて、始動チャッカー開閉ソレノイド７０、アタッカー開閉ソレノイド７１の作動開始をそれぞれに決定する。
【００４３】
演出制御手段６４は、遊技制御手段５９からの指令に応答して、放音装置１２を放音駆動し、演出用照明装置８，１１を発光させ、遊技者の聴覚や視覚に訴える演出を行う。また、演出制御手段６４は、遊技制御手段５９からの演出データに基づいて、詳しくは後述する第１乃至第９アクチュエータＭ１〜Ｍ９の駆動による演出を行う契機となる信号を、後述する可動物駆動停止手段６６に送る。
【００４４】
表示制御手段６５は、遊技制御手段５９からの信号に従って、詳しくは後述するように可動物駆動停止手段６６による予備抽選機構７５の駆動／停止と連係して第１図柄表示板８１の第１図柄表示部８１ａ、第２図柄表示板８２の第２図柄表示部８２ａ、及び第３図柄表示板８３の第３図柄表示部８３ａを制御し、大当たり抽選結果である変動図柄を、それぞれ表示する。
【００４５】
可動物駆動停止手段６６は、演出制御手段６４からの信号（つまり抽選手段５７の抽選結果）に従って、上記表示制御手段６５の制御と連係しつつ予備抽選機構７５の第１乃至第９アクチュエータＭ１〜Ｍ９を駆動／停止することで、大当たり抽選結果に基づく予備抽選的な動作を行い、該予備抽選機構７５を遊技者の視覚に訴えるように駆動制御する。
【００４６】
始動チャッカー開閉ソレノイド７０は、作動制御手段６１から送信された駆動信号に応答してプランジャ（図示せず）を進退動作させて、始動チャッカー２７を開閉動作させる。
【００４７】
アタッカー開閉ソレノイド７１は、作動制御手段６１から送信された駆動信号に応答してプランジャ（図示せず）を進退動作させて、アタッカー５を開閉動作させる。
【００４８】
放音装置１２は、演出制御手段６４の制御に従ってスピーカー（図示せず）を駆動させ、演出に応じた効果音を発する。演出用照明装置８，１１は、演出制御手段６４の制御に従ってその内蔵する電飾ランプ（図示せず）を発光駆動（点灯、点滅）させ、演出に応じた照明を行う。
【００４９】
第１図柄表示板８１、第２図柄表示板８２、及び第３図柄表示板８３は、表示制御手段６５の制御に従って作動し、抽選手段５７での抽選結果に応じた、第１停止変動図柄を第１図柄表示部８１ａに、第２停止変動図柄を第２図柄表示部８２ａに、第３停止変動図柄を第３図柄表示部８３ａにそれぞれ表示を行う。
【００５０】
第１乃至第９アクチュエータＭ１〜Ｍ９は、上記可動物駆動停止手段６６の制御に従って伸長・収縮駆動し、詳しくは後述する各可動物としての棒状部材９１〜９９の位置を上下方向に移動駆動し、又は停止させる。
【００５１】
次に、本パチンコ機１による作用について、図４のフローチャートを併せて参照しつつ説明する。
【００５２】
本パチンコ機１に対面して着座した遊技者が、発射ハンドル２を握って適宜の角度に回動操作すると（ステップＳ１）、不図示の発射装置が作動して、遊技球を所定の時間間隔で遊技領域３ａに向けて連続的に発射させる。すると、遊技領域３ａに打ち出されて転動落下する多数の遊技球Ｂａは、始動チャッカー２７や一般入賞口２５，２６等に適時入賞し、或いは、これらに関与せずに転動落下して、遊技領域３ａ最下部のアウト口７６から遊技盤３背面側に排出される。
【００５３】
つまり、遊技領域３ａに向けて打ち出された多数の遊技球Ｂａは、その一部がワープ導入口３７や導入口３８から導入されて遊技球ステージＳ上に放出され、その一部が球放出口４９から放出されて始動チャッカー２７に向け落下し、この始動チャッカー２７に高確率で入賞する。この際、障害釘３０への当接状況によっては、始動チャッカー２７に入賞できないこともある。一方、球放出口４９からではなく遊技球ステージＳから直接に落下する遊技球Ｂａは、始動チャッカー２７と異なる方向に向かう。この際、当該遊技球Ｂａは、落下方向が、始動チャッカー２７上の一対の障害釘３０の間を通過して入球し得る方向と異なっても、障害釘３０の左右に打ち込まれた所謂ジャンプ釘（図示せず）や、このジャンプ釘から左右方向に配列された道釘（図示せず）で弾き返されることで、障害釘３０に絡んでその間を落下して始動チャッカー２７に入球することもある。
【００５４】
ところで、上述したように始動チャッカー２７や一般入賞口２５，２６等の入賞口の何れかに入賞した場合、入賞判定手段５５が当該入賞を判定し、且つ入賞信号出力手段５６が入賞信号を出力する（ステップＳ２）。この際、保留手段６０は、保留球Ｈが０＜Ｈ＜５であるか否かを常時判定しており、０＜Ｈ＜５を満たすと判定したときには、保留している変動パターンに係る信号を、遊技制御手段５９を介して表示制御手段６５に順次送信し、図柄変動禁止フラグをオンすると共に、図柄変動タイマをセットし、変動パターン信号の送信に応じて保留球数を１デクリメントする。また保留手段６０は、当該保留球の消費に応じて保留球数ＨがＨ＜４となった場合、抽選手段５７で行われる始動チャッカー２７への入賞に応じた大当たり抽選の結果を保留球として記憶し、保留球数を１インクリメントする。
【００５５】
また、ステップＳ３において、大当たり抽選で当選した場合、抽選手段５７が当たりフラグをオンすると、抽選手段５７が、演出用メモリに格納された演出乱数値に基づく抽選で、大当たりの種別、つまり確変当たり又は通常当たりに対応する変動パターンを決定する。
【００５６】
これにより、ステップＳ４において、第１図柄表示板８１、第２図柄表示板８２、及び第３図柄表示板８３に表示されるべき当たり図柄がセットされ、抽選手段５７は、その旨の変動パターン信号を出力すると共に、当該変動パターン信号に基づく演出が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。
【００５７】
一方、ステップＳ３において大当たり抽選で外れた場合には、演出用メモリに格納された演出乱数値に基づく抽選で、変動の結果、外れに対応する図柄が最終的に揃う旨の変動パターンが決定される。これにより、第１図柄表示板８１、第２図柄表示板８２、及び第３図柄表示板８３に表示される外れ図柄がセットされ、抽選手段５７は、その旨の変動パターン信号を出力すると共に、図柄変動禁止フラグをオンし、図柄変動タイマをセットし、変動パターン信号の送信に応じて保留球数を１デクリメントする。
【００５８】
以上のようにして、遊技制御手段５９が、第１図柄表示部８１ａ、第２図柄表示部８２ａ、及び第３図柄表示部８３ａに表示すべき変動図柄の内容に関する信号を、表示制御手段６５に送信することに基づき、表示制御手段６５は、第１図柄表示部８１ａ、第２図柄表示部８２ａ、及び第３図柄表示部８３ａを適時制御し、大当たり抽選結果である変動図柄を表示することとなる。
【００５９】
また同時に遊技制御手段５９が、第１乃至第９アクチュエータＭ１〜Ｍ９に駆動演出をさせるために予め設定された演出データを演出制御手段６４に送信することに基づき、演出制御手段６４は、可動物駆動停止手段６６に信号を送り、この信号に従って可動物駆動停止手段６６は、表示制御手段６５の制御と連係しつつ第１乃至第９アクチュエータＭ１〜Ｍ９を駆動することで大当たり抽選結果に基づく図柄表示処理の一環として予備抽選機構７５の予備抽選動作を、遊技者の視覚に訴えるように駆動停止制御する。（ステップＳ５）。
【００６０】
そして、第１図柄表示板８１、第２図柄表示板８２、及び第３図柄表示板８３の画面上に表れた抽選結果が大当たり決定である場合、作動制御手段６１は、作動決定手段６３の作動開始決定の旨の信号に基づき、所定のタイミングでアタッカー開閉ソレノイド７１に駆動信号を送り、当該ソレノイド７１を作動させてアタッカー５を開放し、所定数入賞が終了する（又は所定時間が経過する）毎に閉塞する動作を所定回数（所定ラウンド）だけ繰り返させる（ステップＳ６）。
【００６１】
次に、本発明の特徴である、図柄表示装置３５について説明する。なお、説明文中におけるＹ１−Ｙ２方向とは、本パチンコ機１に対面して着座した遊技者にとって上下方向であり、また左右方向とは遊技者にとって左−右方向であり、さらに前後方向とは、遊技者にとって手前−奥方向である。
【００６２】
図１及び図２に示すように、本実施の形態のパチンコ機１は、上述のようにセンター飾り２３の中央部に形成された開口３６より露出するように、図柄表示装置３５が備えられている。
【００６３】
図柄表示装置３５は、図５及び図６に示すように、大まかに第１図柄表示板８１、第２図柄表示板８２、第３図柄表示板８３、及び第１乃至第９アクチュエータＭ１〜Ｍ９等を有する予備抽選機構７５で構成されている。
【００６４】
上記第１図柄表示板８１は、図５に示すように、該第１図柄表示板８１の表面上に表示制御手段６５の制御に従って抽選手段５７での抽選結果に応じた変動図柄を表示する７セグメント型表示装置である第１図柄表示部８１ａを備えて構成され、図６に示すように、遊技盤３に対して固定されている背面板１２５に固着されている。なお、図６は図５中のＡ−Ａ矢視断面図である。
【００６５】
同様に、図５に示すように、第２図柄表示板８２は、該第２図柄表示板８２の表面上に第２図柄表示部８２ａを備え、第３図柄表示板８３は、該第３図柄表示板８３の表面上に第３図柄表示部８３ａを備えて構成され、該第２図柄表示板８２及び第３図柄表示板８３ともに背面板１２５（図６参照）に固着されている。
【００６６】
予備抽選機構７５は、図５に示すように、第１、第４、及び第７棒状部材９１，９４，９７が配置された正面視左側列と、第２、第５、及び第８棒状部材９２，９５，９８が配置された正面視中央列と、第３、第６、及び第９棒状部材９３，９６，９８が配置された正面視右側列と、を有して構成されており、それら第１乃至第９棒状部材９１〜９９の下方側には、それぞれ第１乃至第９アクチュエータＭ１〜Ｍ９が配設されている。
【００６７】
ここで、図６に沿って、予備抽選機構７５の中央列における構成を説明する。図６に示すように、この中央列は、第２、第５、及び第８棒状部材９２，９５，９８と、第２、第５、及び第８アクチュエータＭ２，Ｍ５，Ｍ８と、支持部材１１０と、ステージＳに形成された第２、第５、及び第８孔部１０２，１０５，１０８とにより構成されている。
【００６８】
例えばこのうちの上記第５棒状部材９５は、上記第５穴部１０５の内径と略々同径の外径を有する円筒形状に形成された棒状の部材で該第５穴部１０５に摺動自在に貫通配置されており、下端部分が第５アクチュエータＭ５に接続されている。また、本実施の形態では、例えば上端部分を半球形状に形成し、この上端部分には手前側（即ち遊技者側）に向けて目、鼻、ひげを描いた顔部を形成して所謂モグラのイメージとなるように形成しており、さらに、該顔部の下方部分には第５棒状部材９５が対応する変動図柄である「５」が描かれており、ステージＳより突出した場合には遊技者より視認可能となるように構成されている（図５参照）。
【００６９】
上記第５アクチュエータＭ５は、上下方向に伸長・収縮自在となるように配置された電動式のアクチュエータであり、シリンダチューブＭ５ａ及びシリンダロッドＭ５ｂにより構成されている。該シリンダロッドＭ５ｂの上端部分には、第５棒状部材９５が固着されており、一方のシリンダチューブＭ５ａの下端部分は、支持部材１１０の穴部１１５に嵌合・固着されている。
【００７０】
上記支持部材１１０は、遊技盤３の背面側でステージＳの下方側に配設された部材であり、接続部１１０ａにおいてボルト１２１により遊技盤３に対して固定されている。また、該支持部材１１０の奥側の端部分では、上記背面板１２５がボルト１２３，１２４により固着されており、これにより該背面板１２５は、遊技盤３に対して固定されている。従って、上記第５アクチュエータＭ５は、支持部材１１０を介して遊技盤３に固定支持されている。
【００７１】
また、支持部材１１０は、この中央列にあって、上記穴部１１５の後方側に該穴部１１５よりも深さが浅く形成された穴部１１２と、前方側に該穴部１１５よりも深さが深く形成された穴部１１８とが穿設されており、それぞれ第２及び第８アクチュエータＭ２，Ｍ８が嵌合・固定されている。これら第２及び第８アクチュエータＭ２，Ｍ８には、第５アクチュエータＭ５に固着された第５棒状部材９５と同様な形状で、それぞれ異なる数字である「２」と「８」とが描かれた第２及び第８棒状部材９２，９８が固着されている。
【００７２】
即ち、上記第２、第５、及び第８棒状部材９２，９５，９８は、上記穴部１１２，１１５，１１８の深さの違いにより、順次手前側に高さが低くなるように配置されており、第２、第５、及び第８アクチュエータＭ２，Ｍ５，Ｍ８がそれぞれ収縮した際に、それら第２、第５、及び第８棒状部材９２，９５，９８の上端が、第２、第５、及び第８孔部１０２，１０５，１０８の開口部分と一致するように、つまり遊技球が手前側に転動し得る（即ち手前側より奥側の方が上方）ように傾斜して形成されたステージＳと略々同一面上となるように配置されている。
【００７３】
なお、これら第２、第５、及び第８棒状部材９２，９５，９８の上端は、第２、第５、及び第８アクチュエータＭ２，Ｍ５，Ｍ８がそれぞれ収縮した状態で、第２、第５、及び第８孔部１０２，１０５，１０８の開口部分より僅かに突出するように配置してもよく、つまりステージＳに導かれた遊技球がそれら第２、第５、及び第８孔部１０２，１０５，１０８の開口部分に引っ掛って停止してしまわないように構成することが好ましい。
【００７４】
また、第２、第５、及び第８棒状部材９２，９５，９８がステージＳ上から突出した場合には、上述のように顔部及び対応する変動図柄の数字が遊技者から視認可能となるように配置されると共に、第２、第５、及び第８アクチュエータＭ２，Ｍ５，Ｍ８が最も伸長した状態でも、第２、第５、及び第８棒状部材９２，９５，９８とそれぞれの接続されたアクチュエータのシリンダロッドとの接続部分が遊技者から視認不能となるように配置されている。
【００７５】
以上のように、予備抽選機構７５の第２、第５、及び第８棒状部材９２，９５，９８に対応した中央列について、この部分の断面図（即ち図６）を用いて説明したが、第１、第４、及び第７棒状部材９１，９４，９７に対応した左側列と、第３、第６、及び第９棒状部材９３，９６，９９に対応した右側列との構成は、上記第２、第５、及び第８棒状部材９２，９５，９８に対応した部分の構成と略々同じとなり、断面図も同様となるため、その説明を省略する。
【００７６】
次に、本実施の形態に係る図柄表示装置３５による、変動図柄の表示制御の例を図３及び図７に沿って説明する。
【００７７】
上述のように、始動チャッカー２７に遊技球が入賞すると、抽選手段５７により大当たり抽選が行われ、その結果が遊技制御手段５９に出力され、該遊技制御手段５９から演出データが演出制御手段６４に送られる。そして、該演出制御手段６４から表示制御手段６５に対し、第１図柄表示板８１の第１図柄表示部８１ａ、第２図柄表示板８２の第２図柄表示部８２ａ、及び第３図柄表示板８３の第３図柄表示部８３ａにそれぞれ表示する確定図柄のデータが送られると共に、該演出制御手段６４から可動物駆動停止手段６６に対し、それら確定図柄のデータが送られる。
【００７８】
すると、まず、表示制御手段６５は、第１、第２、及び第３図柄表示部８１ａ、８２ａ、８３ａの表示を変動状態にし、一方で可動部駆動停止手段６６が第１乃至第９アクチュエータＭ１〜Ｍ９に指令して、図７（ａ）に示すように、予備抽選機構７５の１回目の駆動として、第１乃至第９棒状部材９１〜９９をランダムに突出・退避するように駆動制御する。また、この間、ステージＳに導かれた遊技球に対しては、これらランダムに突出する第１乃至第９棒状部材９１〜９９によって、その軌道に変化を与えることができる。
【００７９】
そして、所定時間後（数秒後）、図７（ｂ）に示すように、可動部駆動停止手段６６が上記確定図柄のデータに基づき、例えば第５アクチュエータＭ５を伸長した状態で停止するように指令すると共に第１乃至第４アクチュエータＭ１〜Ｍ４及び第６乃至第９アクチュエータＭ６〜Ｍ９を収縮した状態で停止するように指令し、つまり予備抽選機構７５の１回目の抽選確定として、第５棒状部材９５だけがステージＳより突出した状態で停止させる。これにより、遊技者に対し、第１図柄表示部８１ａの変動表示が、あたかも予備抽選機構７５により物理的な抽選が行われたかのように見せることができる。
【００８０】
またこの際、可動物駆動停止手段６６は、停止制御に関するコマンドを表示制御手段６５に出力し、これを受けて表示制御手段６５は、上記確定図柄のデータに基づき、第１図柄表示部８１ａを表示制御し、「５」の確定図柄を表示し、その後、可動物駆動停止手段６６に図柄停止に関するコマンドを出力する。
【００８１】
続いて、可動物駆動停止手段６６は、上記図柄停止に関するコマンドを入力すると、再度第１乃至第９アクチュエータＭ１〜Ｍ９に指令して、図７（ｃ）に示すように、予備抽選機構７５の２回目の駆動として、第１乃至第９棒状部材９１〜９９をランダムに突出・退避するように駆動制御する。なお、この状態では、表示制御手段６５は、第２及び第３図柄表示部８２ａ、８３ａの表示を変動状態のままに維持する。また同様に、この間、ステージＳに導かれた遊技球に対しては、これらランダムに突出する第１乃至第９棒状部材９１〜９９によって、その軌道に変化を与えることができる。
【００８２】
そして、同様に所定時間後（数秒後）、図７（ｄ）に示すように、可動部駆動停止手段６６が上記確定図柄のデータに基づき、例えば第９アクチュエータＭ９を伸長した状態で停止するように指令すると共に第１乃至第８アクチュエータＭ１〜Ｍ８を収縮した状態で停止するように指令し、つまり予備抽選機構７５の２回目の抽選確定として、第９棒状部材９９だけがステージＳより突出した状態で停止させる。これにより、遊技者に対し、第２図柄表示部８２ａの変動表示が、あたかも予備抽選機構７５により物理的な抽選が行われたかのように見せることができる。
【００８３】
またこの際、可動物駆動停止手段６６は、停止制御に関するコマンドを表示制御手段６５に出力し、これを受けて表示制御手段６５は、上記確定図柄のデータに基づき、第２図柄表示部８２ａを表示制御し、「９」の確定図柄を表示し、その後、可動物駆動停止手段６６に図柄停止に関するコマンドを出力する。
【００８４】
ついで、可動物駆動停止手段６６は、上記図柄停止に関するコマンドを入力すると、再度第１乃至第９アクチュエータＭ１〜Ｍ９に指令して、図７（ｅ）に示すように、予備抽選機構７５の３回目の駆動として、第１乃至第９棒状部材９１〜９９をランダムに突出・退避するように駆動制御する。なお、この状態では、表示制御手段６５は、第３図柄表示部８２ａの表示を変動状態のままに維持する。また同様に、この間、ステージＳに導かれた遊技球に対しては、これらランダムに突出する第１乃至第９棒状部材９１〜９９によって、その軌道に変化を与えることができる。
【００８５】
そして、同様に所定時間後（数秒後）、図７（ｆ）に示すように、可動部駆動停止手段６６が上記確定図柄のデータに基づき、例えば第１アクチュエータＭ１を伸長した状態で停止するように指令すると共に第２乃至第９アクチュエータＭ２〜Ｍ９を収縮した状態で停止するように指令し、つまり予備抽選機構７５の３回目の抽選確定として、第１棒状部材９１だけがステージＳより突出した状態で停止させる。これにより、遊技者に対し、第３図柄表示部８３ａの変動表示が、あたかも予備抽選機構７５により物理的な抽選が行われたかのように見せることができる。
【００８６】
またこの際、可動物駆動停止手段６６は、停止制御に関するコマンドを表示制御手段６５に出力し、これを受けて表示制御手段６５は、上記確定図柄のデータに基づき、第３図柄表示部８３ａを表示制御し、「１」の確定図柄を表示し、その後、可動物駆動停止手段６６に図柄停止に関するコマンドを出力する。なお、この３回目の可動部駆動停止手段６６による停止制御は、例えば第１及び第２図柄表示部８１ａ，８２ａの確定図柄が同じであって所謂リーチ状態である際には、上記第１乃至第９棒状部材９１〜９９のランダム駆動制御が長くなるように、予備抽選機構７５の停止制御を（上記所定時間を長くして）遅らせるようにすることが好ましい。
【００８７】
このように第１乃至第３図柄表示部８１ａ，８２ａ，８３ａにおける全ての確定図柄の確定後にあって、例えば大当たり抽選結果が外れである場合にあっては（例えば３つの数字が揃わなければ）、次の抽選手段５７による抽選結果に基づく確定図柄のデータに基づき、上述と同様の表示制御が開始される。また、始動チャッカー２７に遊技球が入賞していなく、次の抽選手段５７による抽選が行われていない場合は（次の確定図柄のデータが送られていない場合は）、可動物駆動停止手段６６が例えば第１乃至第９アクチュエータＭ１〜Ｍ９を収縮状態に制御する。
【００８８】
また一方、第１乃至第３図柄表示部８１ａ，８２ａ，８３ａにおける全ての確定図柄の確定後にあって、例えば大当たり抽選結果が当たりである場合にあっては（例えば３つの数字が揃ったならば）、上述したように作動制御手段６１がアタッカー５を開放し、つまり大当たり遊技に移行する。この間、例えば可動物駆動停止手段６６が第１、第３、及び第８アクチュエータＭ１，Ｍ３，Ｍ８に伸長を指令し、ステージＳ上にあって、第１、第３、及び第８棒状部材９１，９３，９８の突出状態によりＶ字状を形成するなどしてもよい。その後、この大当たり遊技が終了すると、以上説明した表示制御に復帰することになる。
【００８９】
なお、本実施の形態では、予備抽選機構７５にあって、抽選結果に応じて、例えば第１乃至第９棒状部材９１〜９９のそれぞれをランダムに突出・退避するように第１乃至第９アクチュエータＭ１〜Ｍ９を駆動させるものであったが、これに限らず、例えば該第１乃至第９棒状部材９１〜９９が全て同じ動きをするように駆動させたり、所謂ウェーブを起こさせるなど、各棒状部材の突出・退避の順番やタイミングを設定することで予備抽選機構７５による演出を行う制御をさせることも可能である。これにより、所謂リーチアクションとして多彩なものとすることが可能となる。
【００９０】
また、本実施の形態においては、表示制御手段６５と可動物駆動停止手段６６とが上述したようにコマンド送信して互いのタイミングを連係するものを説明したが、演出制御手段６４が、表示制御手段６５及び可動物駆動停止手段６６に対し、予め確定図柄のデータと共に変動時間データを送り、それによって各々がその変動時間データ通りに制御されることで、タイミングを図るようにしてもよい。
【００９１】
以上のように、本発明に係るパチンコ機１によると、図柄表示装置３５における変動図柄の変動中に、確定図柄の種類に対応した第１乃至第９棒状部材９１〜９９を変動駆動した後、確定図柄の種類に対応した第１乃至第９棒状部材９１〜９９を判別し得る状態にそれら第１乃至第９棒状部材９１〜９９を停止する予備抽選機構７５を備えたので、機械的な抽選動作を行った後、確定図柄を表示することができ、当たり抽選が遊技者にとって現実味のあるものとすることができ、遊技機としての趣向を増すことができる。
【００９２】
また、第１乃至第９棒状部材９１〜９９をステージＳに形成された第１乃至第９孔部１０１〜１０９より突出・退避し得る第１乃至第９棒状部材９１〜９９で構成し、図柄表示装置３５における変動図柄の変動中に第１乃至第９棒状部材９１〜９９をステージＳの第１乃至第９孔部１０１〜１０９より突出・退避する変動駆動を行った後、確定図柄の種類に対応した棒状部材だけを突出した状態で停止するので、遊技者が、機械的な抽選を行っていることを視認することができ、かつ何れの確定図柄の種類に対応したものが抽選されたかを容易に判別することができる。また、その抽選動作中には、第１乃至第９棒状部材９１〜９９がステージＳに形成された第１乃至第９孔部１０１〜１０９より突出・退避するので、遊技球の転動軌道に変化を与えることができ、遊技機としての趣向を増すことができる。
【００９３】
また、予備抽選機構７５は、上述したように第１、第２、及び第３図柄表示部８１ａ，８２ａ，８３ａにおける変動図柄の変動・停止（確定）を行う毎に、予備抽選機構７５の変動駆動及び停止を行うので、例えば第１、第２、及び第３図柄表示部８１ａ，８２ａ，８３ａにそれぞれ対応して３つの予備抽選機構７５を設けることを不要とすることができ、つまり１つの予備抽選機構７５だけで複数の変動図柄に対する機械的な抽選動作を行うことができる。これにより、遊技領域３ａが狭まることを防止することができ、遊技球の転動領域が減少してしまうことを防ぐことができて、遊技機としての趣向を増すことができる。
【００９４】
なお、本実施の形態において、可動物を棒状部材として説明したが、例えば人形型の部材にするなど、遊技機の趣向を増す可動物を配設することが可能である。
【００９５】
また、各棒状部材を移動駆動させる演出の場合にあって、例えば外れの場合には速く、大当たりの場合にはゆっくりと各棒状部材を変動駆動させる等、各棒状部材を変動駆動させる速度に変化をつける演出をすることも可能である。
【００９６】
また、本実施の形態において、各図柄表示板の表示面には７セグメント型表示装置を用いるように説明したが、例えば液晶パネルを用いる等の構成にすることも可能である。
【００９７】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００９８】
【図１】本発明の実施の形態におけるパチンコ機の外部構造を示す正面図。
【図２】本パチンコ機から遊技盤を単体で分離した状態で示す正面図。
【図３】本パチンコ機の制御系を示すブロック図。
【図４】本パチンコ機による作動を説明するためのフローチャート。
【図５】図柄表示装置を示す正面図。
【図６】図柄表示装置を示す断面図。
【図７】図柄表示装置における変動図柄の表示の例を示す説明図で、（ａ）は１回目のランダム駆動を示す図、（ｂ）は第１図柄表示部８１ａの図柄確定を示す図、（ｃ）は２回目のランダム駆動を示す図、（ｄ）は第２図柄表示部８２ａの図柄確定を示す図、（ｅ）は３回目のランダム駆動を示す図、（ｆ）は第３図柄表示部８３ａの図柄確定を示す図。
【符号の説明】
【００９９】
１        遊技機（パチンコ機）
３        遊技盤
３ａ      遊技領域
２７      始動口
３５      図柄表示装置
５７      抽選手段
６６      可動物駆動停止装置
７５      予備抽選機構
９１〜９９  可動物、棒状部材
１０１〜１０９  孔（孔部）
Ｓ        ステージ
【図１】
2007268010.tif 000003
【図２】
2007268010.tif 000004
【図３】
2007268010.tif 000005
【図４】
2007268010.tif 000006
【図５】
2007268010.tif 000007
【図６】
2007268010.tif 000008
【図７】
2007268010.tif 000009